(57)【要約】【課題】  コストアップを殆ど伴うことなく、被処理物を液槽中に浸漬させるためのエレベータのケージから滴下した油滴等が、被処理物に落下して染みを発生させることを確実に防止することのできる熱処理装置を提供する。【解決手段】  搬送路４の途上に、加熱後の被処理物Ｗを液槽に浸漬すべくケージ３ａを昇降させるエレベータ３を備え、そのケージ３ａの天井部および床部にそれぞれ搬送路の一部４ｂ，４ｃが形成された熱処理装置において、ケージ３ａの天井部の直下部に、所定方向に傾斜したカバー板５を装着することにより、液中への浸漬によって液が付着したケージ３ａ内に被処理物Ｗを挿入したとき、ケージ３ａに付着している液のうち、カバー板５よりも上の液は当該カバー５により被処理物Ｗ上に滴下することを防止することができ、カバー板５の下面に付着している液についても、カバー板５の下面を傾斜に沿って下方に流れて、被処理物Ｗに滴下することを防止する。【選択図】  図３
2005248247.tif 000002
【特許請求の範囲】
【請求項１】
被処理物を加熱する加熱炉と、その加熱炉の出入り口扉の外側に配置され、加熱後の被処理物を浸漬して急冷するための液槽と、その液槽の上方を通るように設けられて被処理物を上記加熱炉に対して出し入れするための搬送路と、その搬送路の途上に設けられ、加熱後の被処理物を上記液槽に浸漬すべくケージを昇降させるエレベータを備えるとともに、このエレベータのケージには、その天井部の上側および床部の上側にそれぞれ上記搬送路の一部が形成されてなる熱処理装置において、
上記エレベータのケージの天井部の直下部に、所定方向に傾斜したカバー板が装着されていることを特徴とする熱処理装置。
【発明の詳細な説明】
【技術分野】
【０００１】
本発明は各種金属を熱処理するための熱処理装置に関し、より詳しくは、被処理物を加熱するための加熱炉と、加熱後の被処理物を浸漬して急冷するための液槽を備え、加熱炉に被処理物を出し入れするための搬送路の途上に液槽を配置した構成の熱処理装置に関する。
【背景技術】
【０００２】
例えば金属に焼入れや浸炭焼入れ、あるいは浸炭窒化焼入れを施すための熱処理装置においては、その構成例を図５に模式的に示すように、被処理物を加熱する加熱炉５１と、加熱後の被処理物を油や水溶液等の液体により急冷するための液槽５２と、その液槽５２内に被処理物を浸漬するためのエレベータ５３を備えるとともに、加熱炉５１に対してその扉５１ａを介して被処理物を搬送するための搬送路５４を備えた構成を採る。搬送路５４は、図示のようなスキッドレール５４ａを用いるほか、ローラテーブル等を用いる場合もある。
【０００３】
また、搬送路５４は、液槽５２の上方を通るように設けられるとともに、エレベータ５３はその搬送路５４の途上に設けられ、このエレベータ５３のケージ５３ａには、その天井部の上側と、床部の上側にそれぞれ搬送路５４の一部が形成されている。すなわち、この例においては、エレベータ５３のケージ５３ａの天井部の上側および床部の上側に、それぞれスキッドレール５４ｂ，５４ｃが設けられ、ケージ５３ａが下降して液槽５２中に浸漬されている状態では天井部のスキッドレール５４ｂが搬送路５４の一部を構成して被処理物を加熱路５１内に搬入するとともに、ケージ５３ａが上昇している状態では床部のスキッドレール５４ｃが搬送路５４の一部を構成し、加熱後の被処理物をこの床部のスキッドレール５４ｃの上に載せた状態でケージ５３ａが下降し、被処理物を液槽５２の液中に浸漬して急冷した後、ケージ５３ａが上昇して液を切るべく所定時間だけ待機した後、スキッドレール５４ｃを介して外部に搬出する（例えば特許文献１，２参照）。
【特許文献１】特開平１０−２６８１号公報
【特許文献２】特開２００１−２１４２５５号公報
【発明の開示】
【発明が解決しようとする課題】
【０００４】
ところで、以上のような従来の熱処理装置においては、エレベータ５３のケージ５３ａが液槽５２内に浸漬されるために、液槽５２中の油等の液体で濡れるとともに、濡れた状態でその内側、つまりスキッドレール５４ｃの上に被処理物が搬送されるため、油滴や水滴等が被処理物の上に落下して付着する。この油滴等の付着により被処理物に染みが生じ、その外観価値を損ねる場合があるなどの問題があった。
【０００５】
本発明はこのような実情に鑑みてなされたもので、コストアップを殆ど伴うことなく、被処理物を液槽中に浸漬させるためのエレベータのケージから滴下した油滴等が、被処理物に落下して染みを発生させることを確実に防止することのできる熱処理装置を提供することをその課題としている。
【課題を解決するための手段】
【０００６】
上記の課題を解決するため、本発明の熱処理装置は、被処理物を加熱する加熱炉と、その加熱炉の出入り口扉の外側に配置され、加熱後の被処理物を浸漬して急冷するための液槽と、その液槽の上方を通るように設けられて被処理物を上記加熱炉に対して出し入れするための搬送路と、その搬送路の途上に設けられ、加熱後の被処理物を上記液槽に浸漬すべくケージを昇降させるエレベータを備えるとともに、このエレベータのケージには、その天井部の上側および床部の上側にそれぞれ上記搬送路の一部が形成されてなる熱処理装置において、上記エレベータのケージの天井部の直下部に、所定方向に傾斜したカバー板が装着されていることによって特徴づけられる。
【０００７】
本発明は、エレベータのケージ内に搬入された被処理物の上を覆うカバーを設けることにより、当該カバーよりも上方部分からの液滴等の被処理物上への落下を防止すると同時に、カバー自体に傾斜を付与することによって、カバー自体に付着している液の被処理物上への落下を防止することで、所期の目的を防止しようとするものである。
【０００８】
すなわち、エレベータのケージの天井部の下方に、所定方向に傾斜したカバー板を取り付けることにより、それよりも上方に付着している液に対して勿論のこと、カバー板の下面に付着している液についても、傾斜に沿ってカバーの下面を伝って流れるので、被処理物上に落下することがない。
【発明の効果】
【０００９】
本発明によれば、エレベータのケージに傾斜したカバー板を取り付けるという比較的簡単な構成の追加により、被処理物に油滴等が落下して染みが生じることを防止することができ、被処理物の外観価値を損ねることなどを確実に防止することができる。
【発明を実施するための最良の形態】
【００１０】
以下、図面を参照しつつ本発明の実施の形態について説明する。
図１は本発明の実施の形態の全体構成を示す模式図で、エレベータ３のケージ３ａを下降させた状態を示す図であり、図２は同じくそのケージ３ａを上昇させた状態を示す図である。また、図３はそのエレベータ３のケージ３ａの拡大断面図であり、図４はその左側面図である。なお、図３は、図４においてＡ−Ａで示される切断面で切断した図を示している。
【００１１】
熱処理装置の全体としての基本構成は、図５に示した従来のものと同等であり、被処理物を加熱する加熱炉１と、加熱後の被処理物を急冷するための油や水溶液等を収容する液槽２と、その液槽２内に被処理物を浸漬するエレベータ３、および被処理物の搬送路４を主体として構成されている。
【００１２】
バッチ式の加熱炉１は内部に設けられたヒータ（図示せず）を熱源として、バスケットに収容された被処理物Ｗを加熱し、また、シリンダ１ａにより上下動する断熱扉１ｂを通じて被処理物Ｗを出し入れすることができる。この断熱扉１ｂを介して加熱炉１に隣接して前室２０が設けられており、この前室２０の内部下方に液槽２が設けられている。そして、この液槽２に対応してエレベータ３が設けられており、このエレベータ３は、被処理物Ｗを収容するケージ３ａと、そのケージ３ａを昇降させるシリンダ３ｂによって構成されている。
【００１３】
前室２０には加熱炉１と反対側に、シリンダ２０ａにより上下動する扉２０ｂが設けられており、この扉２０ｂに隣接して搬送テーブル４０が設けられている。この搬送テーブル４０の上面には、被処理物Ｗを収容したバスケットを滑らせるためのスキッドレール４ａが設けられている。前記したエレベータ３のケージ３ａには、図３，図４に示すように、その天井部の上側にスキッドレール４ｂが、床部の上側に同じくスキッドレール４ｃが設けられており、これらの各スキッドレール４ａと４ｂまたは４ｃによって被処理物Ｗの搬送路４が形成される。
【００１４】
すなわち、図１に示すようにケージ３ａが下降している状態では、当該ケージ３ａのほぼ全体が液槽２内の液中に浸漬されるとともに、その天井部のスキッドレール４ｂが搬送テーブル４０上のスキッドレール４ａと同一平面上に位置して直線上に繋がり、これらで搬送路４を形成する。また、図２に示すようにケージ３ａが上昇している状態では、その床部のスキッドレール４ｃが搬送テーブル４０上のスキッドレール４ａと同一平面上に位置して直線上に繋がり、これらで搬送路４を形成する。
【００１５】
エレベータ３のケージ３ａには、図３，図４に示すように、天井部の直下部分に板材からなるカバー板５が取り付けられている。このカバー板５は、被処理物Ｗの搬送方向に直交する方向に傾斜している。また、このカバー板５は、ケージ３ａの内部空間の上方全体を覆う大きさを有している。
【００１６】
以上の実施の形態において、被処理物Ｗの加熱炉１内への搬入は、図１のようにエレベータ３のケージ３ａを下降させた状態で、搬送テーブル４０上のスキッドレール４ａに載せられた被処理物Ｗをプッシャーやプーラー等（図示せず）によりケージ３ａの天井部のスキッドレール４ｂ上を通過させて行われる。
【００１７】
加熱後の被処理物Ｗを急冷すべく液槽２内の液中に浸漬する場合には、図２のようにエレベータ３のケージ３ａを上昇させた後、被処理物Ｗを加熱炉１から搬出してケージ３ａの床部のスキッドレール４ｃ上に載せ、ケージ３ａを下降させる。このとき、先に液槽２内の液中に浸漬されていたケージ３ａは液で濡れているが、カバー板５よりも上方部分に付着している液は当該カバー板５の存在により被処理物Ｗには落下せず、カバー板５の上面を傾斜に沿って下方に流れ、被処理物Ｗの側方に滴下する。また、カバー板５の下面に付着している液についても、当該カバー板５の下面を傾斜に沿って下方に流れ、同じく被処理物Ｗの側方に滴下する。
【００１８】
上記のようにケージ３ａを下降させて被処理物Ｗを急冷した後、ケージ３ａを上昇させ、その状態で所定時間だけ待機することにより液切りを行い、その後、被処理物Ｗをスキッドレール４ｃおよび４ａ上を滑らせて搬送テーブル４０上にまで搬送する。
【００１９】
以上の実施の形態によれば、液槽２中への浸漬により液で濡れたケージ３ａの内側に被処理物Ｗを挿入しても、上記したように傾斜したカバー板５の存在により被処理物Ｗに液が滴下することがなく、染み等の発生の原因をなくすることができる。
【００２０】
なお、以上の実施の形態では、被処理物の搬送路にスキッドレールを用いた例を示したが、スキッドレールを例えばローラ等に置き換えても同等の作用効果を奏することができる。
【００２１】
また、カバー板５の傾斜の向きは上記した例に限定されることなく、搬送方向と同じ方向に傾斜させてもよく、更に、中央部を稜線としてその両側に傾斜させることも可能である。
【００２２】
更にまた、以上の説明では、通常の焼入れ処理の動作について説明したが、加熱炉１内で被処理物Ｗを加熱しつつ雰囲気ガスを供給して浸炭処理や浸炭窒化処理を施した後、被処理物Ｗを液槽２中に浸漬して急冷する、浸炭焼入れや浸炭窒化焼入れを行う場合にも、本発明の適用により上記と全く同等の作用効果を奏し得ることは勿論である。
【図面の簡単な説明】
【００２３】
【図１】本発明の実施の形態の全体構成を示す模式図で、エレベータ３のケージ３ａを下降させた状態を示す図である。
【図２】本発明の実施の形態の全体構成を示す模式図で、ケージ３ａを上昇させた状態を示す図である。
【図３】図１，図２におけるケージ３ａの拡大断面図である。
【図４】図３の左側面図である。
【図５】従来の焼入れ装置の構成例を示す模式図である。
【符号の説明】
【００２４】
１  加熱炉
１ｂ  断熱扉
２  液槽
２０  前室
３  エレベータ
３ａ  ケージ
３ｂ  シリンダ
４  搬送路
４ａ，４ｂ，４ｃ  スキッドレール
４０  搬送テーブル
５  カバー板
Ｗ  被処理物
【図１】
2005248247.tif 000003
【図２】
2005248247.tif 000004
【図３】
2005248247.tif 000005
【図４】
2005248247.tif 000006
【図５】
2005248247.tif 000007